(57)【要約】【課題】バストの形状を確実に保持、造形し、多様なバストの形状にフィットさせて美しいボディラインを作ることができると共に、バストの大きさが変わっても外観上異質とならないようにすることが可能なカップ部を有する衣類を提供する。【解決手段】左右一対のカップ部を有する衣類であって、カップ部１は、少なくとも１個の部片からなる上カップ片５と少なくとも１個の部片からなる下カップ片６を接ぎ合わせた表布１１と、少なくとも１個の部片からなる上カップ片７と少なくとも１個の部片からなる下カップ片８を接ぎ合わせた芯材１２とを具備し、表布１１の部片の構成と芯材１２の部片の構成は互いに独立したものとする。【選択図】図１
0003121552.tif 000002
【実用新案登録請求の範囲】
【請求項１】
左右一対のカップ部を有する衣類であって、カップ部は、
少なくとも１個の部片からなる上カップ片と少なくとも１個の部片からなる下カップ片を接ぎ合わせた表布と、
少なくとも１個の部片からなる上カップ片と少なくとも１個の部片からなる下カップ片を接ぎ合わせた芯材とを具備し、
表布の部片の構成と芯材の部片の構成は互いに独立したものであることを特徴とするカップ部を有する衣類。
【請求項２】
左右一対のカップ部を有する衣類であって、カップ部は、
少なくとも１個の部片からなる上カップ片と少なくとも１個の部片からなる下カップ片を接ぎ合わせた表布と、
裏布と、
表布と裏布との間に位置し、少なくとも１個の部片からなる上カップ片と少なくとも１個の部片からなる下カップ片を接ぎ合わせた芯材とを具備し、
表布の部片の構成と芯材の部片の構成は互いに独立したものであることを特徴とするカップ部を有する衣類。
【請求項３】
裏布の脇部側に開口部を設けたことを特徴とする請求項２に記載のカップ部を有する衣類。
【請求項４】
開口部の縁に伸縮性部片を取り付けたことを特徴とする請求項３に記載のカップ部を有する衣類。
【請求項５】
表布の外面に装飾布を取り付けたことを特徴とする請求項１ないし４いずれか一に記載のカップ部を有する衣類。
【請求項６】
表布の内面に補強布を取り付けたことを特徴とする請求項１ないし５いずれか一に記載のカップ部を有する衣類。
【考案の詳細な説明】
【技術分野】
【０００１】
本考案は、例えばブラジャー等のカップ部を有する衣類に関する。
【背景技術】
【０００２】
従来より、カップ部を有する衣類、例えばブラジャーでは、バストの形状を確実に保持、造形し、美しいボディラインを作るために、複数の部片を接ぎ合わせてカップ部を立体的に造形している。例えば、特開２０００−１３６４０１号公報の第二実施形態に示されるものは、三枚の構成布と二枚のカップ外布を一体に縫着させてカップ布部を形成している。
【０００３】
また、特開２００２−２２０７０５号公報に示されるものは、ブラジャーのカップをカップ本体と該カップ本体の表面を被覆するカバーとで構成し、カップ本体は複数枚の厚手の生地片を縫い合わせてお椀形を形成し、カバーは所定の生地で縦方向に縫目を設けてお椀形を形作り、カバーの下側縁をカップ本体の下縁に縫い付けて、バストを支えると共に形を整えて美しく見えるようにしている。
【特許文献１】特開２０００−１３６４０１号公報
【特許文献２】特開２００２−２２０７０５号公報
【考案の開示】
【考案が解決しようとする課題】
【０００４】
しかしながら、複数の部片を接ぎ合わせてカップ部を立体的に造形する場合、バストの大きさに応じてカップ部を構成する部片の数や形状を変えれば、バストの大きさに応じてフィットするカップ部を作ることは可能であるが、バストの大きさによってカップ部の外観が異なってしまうという問題がある。
【０００５】
これに対し、特許文献１に示されるものは、カップ部の特に脇側部分における保形性を向上させ、ストラップレスブラジャーとしても使用できるようにしたもので、バストの大きさによってカップ部の外観が異なってしまうという問題は解決できない。
【０００６】
また、特許文献２に示されるブラジャーは、カップ本体の表面を被覆するカバーを設けているが、カバーにはバストを支える機能がなく、外観的に自然な丸みを形作るために縦方向に縫目を設けているのみであるため、バストを保持する機能が弱く、大きなバストの場合は重みに耐えられず、型崩れして変形したり、折れシワが生じて形を整えて美しく見せることができないといった課題がある。
【０００７】
本考案は、上記の課題を解決することを目的とし、バストの形状を確実に保持、造形し、多様なバストの形状にフィットさせて美しいボディラインを作ることができると共に、バストの大きさが変わっても外観上異質とならないようにすることが可能なカップ部を有する衣類を提供しようとするものである。
【課題を解決するための手段】
【０００８】
請求項１に記載の考案は、左右一対のカップ部を有する衣類であって、カップ部は、少なくとも１個の部片からなる上カップ片と少なくとも１個の部片からなる下カップ片を接ぎ合わせた表布と、少なくとも１個の部片からなる上カップ片と少なくとも１個の部片からなる下カップ片を接ぎ合わせた芯材とを具備し、表布の部片の構成と芯材の部片の構成は互いに独立したものであることを特徴とする。
【０００９】
本考案によれば、少なくとも１個の部片からなる上カップ片と少なくとも１個の部片からなる下カップ片を接ぎ合わせた表布と、少なくとも１個の部片からなる上カップ片と少なくとも１個の部片からなる下カップ片を接ぎ合わせた芯材とを具備したことで、芯材だけでなく表布もバストを保持、造形する機能を有し、バストの形状を確実に保持、造形し、多様なバストの形状にフィットさせて美しいボディラインを作ることができる。
【００１０】
さらに、表布と芯材の部片の構成を互いに独立させたことで、表布の部片の構成は統一し、カップの大きさによって芯材の部片の構成を変えることができるため、バストの大きさが変わっても外観上異質とならないようにすることが可能なカップ部を有する衣類を提供することができる。
【００１１】
本考案では、少なくとも１個の部片からなる上カップ片と少なくとも１個の部片からなる下カップ片を接ぎ合わせた表布と、少なくとも１個の部片からなる上カップ片と少なくとも１個の部片からなる下カップ片を接ぎ合わせた芯材とで構成しているため、表布および芯材の上カップ片は１片により構成しても、複数の部片を接ぎ合わせて構成してもよく、部片の個数、形状は任意であり、同様に下カップ片は１片により構成しても、複数の部片を接ぎ合わせて構成してもよく、部片の個数、形状は任意である。
【００１２】
部片の接ぎ合わせは、複数の部片を縫い合わせて構成しても、一枚の生地を所定形状に裁断して縫い合わせて構成してもよく、複数の部片を接着して構成しても、一枚の生地を所定形状に裁断して接着して構成してもよい。
【００１３】
また、本考案では、表布の部片の構成と芯材の部片の構成を互いに独立させているため、表布の部片の構成と芯材の部片の構成は、同じでも異なってもよい。
【００１４】
請求項２に記載の考案は、左右一対のカップ部を有する衣類であって、カップ部は、少なくとも１個の部片からなる上カップ片と少なくとも１個の部片からなる下カップ片を接ぎ合わせた表布と、裏布と、表布と裏布との間に位置し、少なくとも１個の部片からなる上カップ片と少なくとも１個の部片からなる下カップ片を接ぎ合わせた芯材とを具備し、表布の部片の構成と芯材の部片の構成は互いに独立したものであることを特徴とする。
【００１５】
本考案によれば、少なくとも１個の部片からなる上カップ片と少なくとも１個の部片からなる下カップ片を接ぎ合わせた表布と、裏布と、表布と裏布との間に位置し、少なくとも１個の部片からなる上カップ片と少なくとも１個の部片からなる下カップ片を接ぎ合わせた芯材とを具備し、表布の部片の構成と芯材の部片の構成は互いに独立したものとしたことで、バストの形状をより確実に保持、造形し、多様なバストの形状にフィットさせて美しいボディラインを作ることができると共に、バストの大きさが変わっても外観上異質とならないようにすることが可能なカップ部を有する衣類を提供することができる。
【００１６】
本考案では、裏布は、一枚により構成しても、複数の部片を接ぎ合わせて構成してもよく、部片の個数、形状は任意である。
【００１７】
裏布の部片の接ぎ合わせは、複数の部片を縫い合わせて構成しても、一枚の生地を所定形状に裁断して縫い合わせて構成してもよく、複数の部片を接着して構成しても、一枚の生地を所定形状に裁断して接着して構成してもよい。
【００１８】
請求項３に記載の考案は、裏布の脇部側に開口部を設けたことを特徴とする。
【００１９】
開口部は、裏布の脇部側を切り取ることにより設けても、切り取ることなく裏布の脇部側に切れ目を入れるように設けてもよい。
【００２０】
請求項４に記載の考案は、開口部の縁に伸縮性部片を取り付けたことを特徴とする。
【００２１】
伸縮性部片は開口部の縁に縫い合わせて取り付けても、接着して取り付けてもよい。
【００２２】
請求項５に記載の考案は、表布の外面に装飾布を取り付けたことを特徴とする。
【００２３】
装飾布は、表布の外面の一部を被覆するように用いても、表布の外面全体を被覆するように取り付けてもよい。また、装飾布は表布の外面に縫い合わせて取り付けても、接着して取り付けてもよい。
【００２４】
請求項６に記載の考案は、表布の内面に補強布を取り付けたことを特徴とする。
【００２５】
補強布は、表布の内面全面に取り付けても、内面の一部に取り付けてもよい。また、補強布は表布の内面に縫い合わせにより取り付けても、接着により取り付けてもよい。
【００２６】
前記構成のカップ部を有する衣類は、ブラジャーの他、ボディスーツ、ブラキャミソールなどのファンデーションあるいはブラスリップなどのランジェリーもしくはレオタード、水着のスポーツ衣料等にも適用できる。
【考案の効果】
【００２７】
請求項１の考案によれば、バストの形状を確実に保持、造形し、多様なバストの形状にフィットさせて美しいボディラインを作ることができると共に、バストの大きさが変わっても外観上異質とならないようにすることが可能なカップ部を有する衣類を提供することができる。
【００２８】
請求項２の考案によれば、バストの形状を確実に保持、造形し、多様なバストの形状にフィットさせて美しいボディラインを作ることができると共に、バストの大きさが変わっても外観上異質とならないようにすることが可能なカップ部を有する衣類を提供することができる。
【００２９】
裏布を具備することで、装着した際に高いフィット感が得られる。また、裏布を具備することで、装着感に左右されることなくバストの形状の保持性を追求した芯材を使用することが可能となる。
【００３０】
請求項３の考案によれば、裏布の脇部側に開口部を設けることで、裏布と芯材との間にパッドを出し入れすることが可能となる。カップにパッドを組み合わせることでバストの体積や底面積の大小を補正できるため、多様なバストの形状にフィットさせて美しいボディラインを作ることができる。
【００３１】
請求項４の考案によれば、開口部の縁に伸縮性部片を取り付けたことで、バストの脇部側への流れを防止し、バストを内側へ寄せることができるため、美しいボディラインを作ることが可能となる。
【００３２】
請求項５の考案によれば、表布の外面に装飾布を取り付けることで、接ぎ目を目立たなくすることができるため、デザイン性が向上し、美しい外観を有するカップ部を有する衣類を提供することができる。
【００３３】
請求項６の考案によれば、表布の内面に補強布を取り付けることで、大きなバストの場合でもより重みに耐えうる強度にすることができ、バストの垂れ下がりを防ぎ、バストの形状を確実に保持、造形して美しいボディラインを作ることができる。
【考案を実施するための最良の形態】
【００３４】
以下、本考案に係るカップ部を有する衣類の実施形態について説明する。
【実施例１】
【００３５】
本実施例は、ブラジャーに係る第一の実施形態であり、図１〜４に従い説明する。図１は正面図、図２は背面図、図３は表布を示し、（ａ）は背面図、（ｂ）は補強布、（ｃ）は表布の内面に補強布を取り付けた状態を示す背面図、図４は芯材を示す背面図である。
【００３６】
１は本考案を構成するカップ部、２は肩紐、３は土台布、４は脇部用ベルトである。カップ部１は表布１１と芯材１２とで構成され、表布１１および芯材１２はカップの周縁で縫合されている。
【００３７】
表布１１は上カップ片５と下カップ片６からなり、上カップ片５は２個の部片１１ａ、１１ｂからなる。下カップ片６は４個の部片１１ｃ、１１ｄ、１１ｅ、１１ｆからなる。表布１１は部片１１ａ、１１ｂ、１１ｃ、１１ｄ、１１ｅ、１１ｆが互いに縫合されることによりカップ状に構成され、表布１１の外面にはレース等の飾り布からなる装飾布１４が縫着されている。さらに、表布の部片１１ｄ、１１ｅの内面には補強布１５が縫着されている。
【００３８】
芯材１２は上カップ片７と下カップ片８からなり、上カップ片７は２個の部片１２ａ、１２ｂからなる。下カップ片８は２個の部片１２ｃ、１２ｄからなる。芯材１２は、部片１２ａ、１２ｂ、１２ｃ、１２ｄが互いに縫合されることにより、表布１１のカップ形状に略合致するカップ状に構成されている。表布１１と芯材１２は周縁以外は縫合せずに、夫々が独立した構成とする。
【００３９】
本実施例によれば、表布１１は２個の部片１１ａ、１１ｂ、４個の部片１１ｃ、１１ｄ、１１ｅ、１１ｆ計６個の部片を互いに縫合して構成することにより、表布もバストを保持、造形する機能を有する。上カップを２片、下カップ片を４片により構成することで、下方からバストを保持、造形するのみならず、多様なバストの形状にフィットさせて美しいボディラインを作ることができる。
【００４０】
本実施例では、表布の上カップを２片、下カップを４片により構成し、芯材の上カップを２片、下カップを２片により構成したカップ部を有する衣類について説明したが、カップの大きさによって表布と芯材の構成を変えれば、多様なバストの形状にフィットさせて美しいボディラインを作ることができる。
【００４１】
例えば、表布と芯材の部片の構成としては、Ａカップの場合、表布１１の上カップを１片、下カップを１〜２片により構成し、芯材１２の上カップを１片、下カップを１〜２片により構成し、Ｂカップの場合、表布１１の上カップを１〜２片、下カップを２〜３片により構成し、芯材１２の上カップを１〜２片、下カップを２片により構成し、Ｃカップの場合、表布１１の上カップを２片、下カップを３〜４片により構成し、芯材１２の上カップを２片、下カップを２〜３片により構成することができる。
【００４２】
また、本実施例によれば、表布１１と芯材１２の部片の構成は互いに独立させ、表布１１と芯材１２は周縁以外は縫合せずに独立して結合しているため、例えば、表布１１の上カップを１片、下カップを２片に統一し、バストの大きさによって、Ａカップの場合芯材１２の上カップを１片、下カップを１〜２片、Ｂカップの場合芯材１２の上カップを１〜２片、下カップを２片、Ｃカップの場合芯材１２の上カップを２片、下カップを２〜３片により構成すれば、バストの大きさが変わっても外観上異質とならないブラジャーを提供することができる。
【００４３】
本実施例では、表布１１と芯材１２は周縁を縫合して結合しているが、接着により結合しても、ボタンやフックで着脱ができるように結合してもよい。
【００４４】
補強布１５は、表布の部片１１ｄ、１１ｅの内面に縫着されているが、下カップ片６全面に縫着してもよく、また、接着により取り付けてもよい。
【実施例２】
【００４５】
本実施例は、ブラジャーに係る第二の実施形態であり、図５〜７に従い説明する。裏布および芯材以外の構成、作用、効果等は実施例１と同様である。
【００４６】
図５は背面図、図６は芯材を示す背面図、図７は裏布を示し、（ａ）は背面図、（ｂ）は開口部の弧の長さを示すＡ−Ａ拡大端面図である。各図において、実施例１と同一部分には同一符号を付して説明する。
【００４７】
１は本考案を構成するカップ部で、カップ部１は表布１１、芯材１２、裏布１３とで構成され、表布１１、芯材１２、裏布１３はカップの周縁で縫合されている。
【００４８】
芯材１２は上カップ片７と下カップ片８からなり、上カップ片７は２個の部片１２ａ、１２ｂからなる。下カップ片８は２個の部片１２ｃ、１２ｄからなる。芯材１２は不織布からなり、計４個の部片１２ａ、１２ｂ、１２ｃ、１２ｄが内面（肌側）からバイアステープ１８を介して互いに縫合されることにより、表布１１のカップ形状に略合致するカップ状に構成されている。
【００４９】
裏布１３は２個の部片１３ａ、１３ｂが、互いに縫合されることにより、表布１１のカップ形状に略合致するカップ状に構成され、裏布１３の脇部側を切り取ることで、開口部１６が設けられている。
【００５０】
開口部１６の弧の長さ（開口部上端とカップ上辺が交わる点Ｘから開口部下端とカップ下辺が交わる点Ｙを結ぶ弧の長さ）Ｌは、裏布１３を表布１１のカップ形状に略合致させた場合の弧の長さｌに比べ２〜６mm、好ましくは３〜５mm短いものとする。さらに開口部１６には伸縮性テープ１７を縫着する。
【００５１】
開口部１６の弧の長さＬを表布１１のカップ形状に略合致させた場合の弧の長さｌよりも短くすることで、バストを内側へ寄せる効果が生じるが、２mm未満であるとバストを内側に寄せる効果がほとんど生じず、６mmを超えるとカップに折れシワが生じてしまう。また、開口部１６に伸縮性テープ１７を縫着することにより、開口部１６の切り口を補強すると共に、より効果的にバストを内側へ寄せることができる。
【００５２】
芯材１２は、造形性の高い不織布を用いることにより、バストの保持性が高められる。また、部片をバイアステープ１８を介して縫合することにより、バストの保持性が高められる。
【００５３】
裏布１３を設けることで、装着した際に高いフィット感が得られ、さらに、裏布１３を設けることで装着感に関わらず造形性の高い不織布を用いることができるため、バストの形状をより確実に保持、造形することができる。
【００５４】
本実施例では、表布１１、芯材１２、裏布１３は周縁を縫合して結合しているが、接着により結合しても、ボタンやフックで着脱ができるように結合してもよい。
【００５５】
芯材１２は不織布を使用しているが、フェルトやウレタンフォームなど、他の造形性の高いプラスチック等を使用してもよい。
【００５６】
芯材１２は内面（肌側）からバイアステープ１８を介して互いに縫合されているが、ゴムテープ等、他の丈夫なテープを介して縫合してもよく、また、接着により接ぎ合わせてもよい。
【００５７】
開口部１６にはゴム製の伸縮性テープ１７が縫着されているが、接着により取り付けてもよい。
【００５８】
本考案は上述の各実施例に限定されることなく、本考案の要旨を逸脱しない範囲において、種々の設計変更を行うことができる。
【図面の簡単な説明】
【００５９】
【図１】本考案の第一の実施形態を示す正面図。
【図２】本考案の第一の実施形態を示す背面図。
【図３】本考案の第一の実施形態の表布を示し、（ａ）は背面図、（ｂ）は補強布、（ｃ）は表布の内面に補強布を取り付けた状態を示す背面図。
【図４】本考案の第一の実施形態の芯材を示す背面図。
【図５】本考案の第二の実施形態を示す背面図。
【図６】本考案の第二の実施形態の芯材を示す背面図。
【図７】本考案の第二の実施形態の裏布を示し、（ａ）は背面図、（ｂ）は開口部の弧の長さを示すＡ−Ａ拡大端面図。
【符号の説明】
【００６０】
１      カップ部
１１    表布
１２    芯材
１３    裏布
１４    装飾布
１５    補強布
１６    開口部
１７    伸縮性テープ
１８    バイアステープ
【図１】
0003121552.tif 000003
【図２】
0003121552.tif 000004
【図３】
0003121552.tif 000005
【図４】
0003121552.tif 000006
【図５】
0003121552.tif 000007
【図６】
0003121552.tif 000008
【図７】
0003121552.tif 000009